(57)【要約】【課題】極力、ラフ状態に似た打感を十分得ることがきるゴルフ練習用マットを提供すること。【解決手段】マット４に異なる長さを持つ人工芝１を備えた複数の芝領域を有する練習用マットであって、一つの芝領域において、その人工芝の葉１１の幅がランダムに形成されているゴルフ練習用マット。【効果】発明のゴルフ練習用マットを使ってショットした場合、極力、自然のラフ状態に似た打感や芝絡みの感触を十分得ることがき、上級者においても、十分、練習効果を得ることができる。また、従来の長い人工芝を植え込んだゴルフ練習用マットと異なって、人工芝が抜けにくく、耐久性に優れたものとなる。【選択図】  図１
2004249000.tif 000002
【特許請求の範囲】
【請求項１】
マットに異なる長さを持つ人工芝を備えた複数の芝領域を有する練習用マットであって、一つの芝領域において、その人工芝の葉の幅がランダムに形成されていることを特徴とするゴルフ練習用マット。
【請求項２】
人工芝の根部はシート体に表側からＶ字状に植え込まれており、シート体は裏側に可撓性部材を介してマットに固定されていることを特徴とする請求項１記載のゴルフ練習用マット。
【請求項３】
葉の幅が０．５〜３ｍｍであることを特徴とする請求項１記載のゴルフ練習用マット。
【請求項４】
人工芝が、ポリオレフィン系樹脂で形成されていることを特徴とする請求項１記載のゴルフ練習用マット。
【請求項５】
人工芝がポリエチレン樹脂のスプリットフィルムで形成されており、該スプリットフィルムがランダムに分割されているものであることを特徴とする請求項１記載のゴルフ練習用マット。
【請求項６】
人工芝の根部はシート体に表側からＶ字状に植え込まれており、シート体の裏側に、直接、マットが接着固定されていることを特徴とする請求項１記載のゴルフ練習用マット。
【請求項７】
芝領域が２つであることを特徴とする請求項１記載のゴルフ練習用マット。
【請求項８】
下記の工程を有することを特徴とするゴルフ練習用マットの製造方法。
１．シート体にスプリットフィルムを波形状に屈曲させて連続的に織り込む。
２．スプリットフィルムの先端の屈曲部をカットする。
３．スプリットフィルムを、人工芝の葉をコーム等を使って引っ掛けて延伸方向に割って分割する。
４．シート体の裏側にクッション体を接着する。
５．シート体をマットに接着固定する。
【発明の詳細な説明】
【０００１】
【発明の属する技術分野】
本発明は、ゴルフ練習用マットに関し、更に詳しくは、極力、ラフ状態に似た打感を得ることがきるゴルフ練習用マットに関する。
【０００２】
【従来の技術】
自然のコースでのラフ状態は非常に変化に富んだものであり、ゴルフ愛好者にとっては、日頃から、それらの状況に応じた練習を行うことが上達のためには必要である。
一般に、コースでは、芝が深いラフ状態でのショットが不得意な人が多い。
それは、アイアン等のクラブヘッドに芝生の葉が絡んで抵抗が生じるために、ラフにおける特有の打ち方をしなければならないからであり、日頃の練習が尚更必要となる。
【０００３】
ゴルフのショットの練習を行う場合、ゴルフ練習場や自宅で行う場合が多いが、通常、ゴルフボールを練習用マットの上に載せてショットの練習を行う。
このような実際のゴルフ場以外の場所での練習は、自然のゴルフ場を模擬したラフ状態で行うことが効果的である。
そのために、現在、ラフやフェアウエーでの状態を想定した練習用マットが開発されている。
【０００４】
このような練習用マットとしては、例えば、実開昭６２−５０６８０号公報、実開昭６３−２０１５６３号公報、実開平３−１６９７３号公報等にあるような人工芝を備えたものが提供されている。
実開昭６２−５０６８０号公報には、基板面に、ゴルフボールの径より長い人工芝を植毛した複数枚の芝シートを平面状に並べて額縁状枠体の内側に、着脱自在に嵌合したラフ練習用マットが示されている  （特許文献１参照）。
【０００５】
また実開昭６３−２０１５６３号公報には、フォロースルー側の部分のマットの毛足がテイクバックが帆の毛足よりも長くし、クラブヘッドが通った方向に倒れ且つ戻るようにしたゴルフ練習用段付きマットが示されている  （特許文献２参照）。
【０００６】
更に、また実開平３−１６９７３号公報には、芝の長さが不揃いな人工芝と均一な人工芝の両方を備えたゴルフ練習用マットが示されている  （特許文献３参照）。
しかし、これらのゴルフ練習用マットは、確かに自然のラフに似せた状態を作ってはいるが、単に芝の葉をラフに似た長さとしただけのものである。
また、人工芝の葉が均一のものを使っており、自然のものとは大きく異なっている。
そのためにクラブヘッドの絡み状態が自然の芝と異なっており、いわゆる自然のラフ状態に近い打感を再現することはできない。
【０００７】
一方、ゴルフの上達者は、例えば、コースに出て、実際にクラブヘッドで芝上のボールを打つ場合、通常、ボールの前側のターフを削り取るショットとなる。
つまり、クラブヘッドを芝の植え込まれた地面に食い込ませ削り取ることとなる。
従って、上級者が上記のゴルフ練習用マットを使ってショットした場合、丁度、マットの上に置いたボールの位置の後側を叩く状態となり、いわば、クラブヘッドが直接、マットの地肌に衝突する現象が生ずる。
【０００８】
しかし、自然の地肌と異なって、マット地は、削り取れないために、マット地とクラブヘッドが衝突するとその衝撃が、直接、グリップに伝わり手を傷めることとなる。
このように、従来のゴルフ練習用マットにおいては、人工芝の葉は外見的に見てラフ状態に似たようなものではあるが、実際のコースのようなクラブヘッドによる打感を実現することはできない。
【０００９】
すなわち、自然のラフ状態を現すには満足できるものでは無かった。
このように、現在、ショットする場合の芝の形態及びマット地の状態を考慮して打感を得る練習用マットはいまだ提供されていない。
【００１０】
【特許文献１】
実開昭６２−５０６８０号公報
【特許文献２】
実開昭６３−２０１５６３号公報
【特許文献３】
実開平３−１６９７３号公報等
【００１１】
【発明が解決しようとする課題】
本発明は、このような従来の問題点を克服するためになされたもので、極力、ラフ状態に似た打感を十分得ることがきるゴルフ練習用マットを提供することである。
【００１２】
【課題を解決するための手段】
かくして、本発明者は、このような課題背景に対して、鋭意研究を重ねた結果、人工芝の葉の幅と材質、及びその植え込み地に着目し、それらの条件を整えることにより、特有の打感を得られることを見出し、この知見に基づいて本発明は完成させたものである。
【００１３】
即ち、本発明は、（１）、マットに異なる長さを持つ人工芝を備えた複数の芝領域を有する練習用マットであって、一つの芝領域において、その人工芝の葉の幅がランダムに形成されているゴルフ練習用マットに存する。
【００１４】
そして、（２）、人工芝の根部は、シート体に表側からＶ字状に植え込まれており、シート体は裏側に可撓性部材を介してマットに固定されているゴルフ練習用マットに存する。
【００１５】
そしてまた、（３）、葉の幅が０．５〜３ｍｍであるゴルフ練習用マットに存する。
【００１６】
そしてまた、（４）、人工芝が、ポリオレフィン系樹脂で形成されているゴルフ練習用マットに存する。
【００１７】
そしてまた、（５）、人工芝がポリエチレン樹脂のスプリットフィルムで形成されており、該スプリットフィルムがランダムに分割されているものであるゴルフ練習用マットに存する。
【００１８】
そしてまた、（６）、人工芝の根部はシート体に表側からＶ字状に植え込まれており、シート体の裏側に、直接、マットが接着固定されているゴルフ練習用マットに存する。
【００１９】
そしてまた、（７）、芝領域が２つであるゴルフ練習用マットに存する。
【００２０】
そしてまた、（８）、下記の工程を有するゴルフ練習用マットの製造方法に存する。
１．シート体にスプリットフィルムを波形状に屈曲させて連続的に織り込む。
２．スプリットフィルムの先端の屈曲部をカットする。
３．スプリットフィルムを、人工芝の葉をコーム等を使って引っ掛けて延伸方向に割って分割する。
４．シート体の裏側にクッション体を接着する。
５．シート体をマットに接着固定する。
マットに異なる長さを持つ人工芝を備えた複数の芝領域を有する練習用マットであって、一つの芝領域において、その人工芝の葉の幅がランダムに形成されているゴルフ練習用マットに存する。
【００２１】
本発明はこの目的に沿ったものであれば、上記（１）〜（７）の中から選ばれた２つ以上を組み合わせたゴルフ練習用マットの構成も当然採用可能である。
【００２２】
【発明の実施の形態】
以下、図面に基づき、本発明のゴルフ練習用マットの好適な実施の形態について述べる。
図１は、本発明のゴルフ練習用マットを示す外観図であり、また図２は、その一部断面を示す図である。
【００２３】
本発明のゴルフ練習用マットＡは、マット４とその上には異なる長さを持つ人工芝１を備えた複数の領域を有する。
この実施の形態においては、長い葉１１の人工芝１を備えた領域Ａ、それと異なった短い葉１１の人工芝１を備えた領域Ｂ、との２つの領域を持つゴルフ練習用マットＡを示す。
また、マット４には、人工芝１を備えた領域以外の人工芝が植え込まれていない部分があり、ここには、切り抜き穴が形成されている。
【００２４】
例えば、長方形の切り抜き穴Ｈ１は、持ち運びする場合等に手で指を引っ掛ける部分に利用される。
また、円形の切り抜き穴Ｈ２は、ゴム性置台（ティー）を裏側から嵌め込むもので練習場で使用される。
マット４は、合成ゴムや天然ゴム等により形成されており、ショットの際、滑らないように適度な重量がある。
また、マット４裏面には滑り止めのための手段、例えば凹凸溝を形成することが好ましい。
【００２５】
本発明の練習用マットは人工芝１を備えるものであるが、人工芝１は、直接、マット４に植え込ませることなく、シート体２を介してマット４に植え込まれる構造となっている。
人工芝１の葉１１の長さは、４〜６ｃｍの長さが好ましい。
また人工芝１は、テープ体を処理加工して葉幅をランダム化するが、この点については後述する。
【００２６】
このような長さとすることで、ゴルフコースのラフと同じように、ゴルフボールＢを埋めた状態にしてショットする練習ができることとなる。
芝が４ｃｍより短いと、ゴルフボールＢを埋めた状態を再現することができず、また芝が６ｃｍより長いと人工芝１が寝て倒れ易い。
【００２７】
人工芝１は、シート体２に植え込まれており、このシート体２の裏側には抜け防止及び衝撃を緩和するための可撓性部材３が貼り付けられている。
この可撓性部材３の材料としては、ウレタンゴム、アクリルゴム、シリコンゴム等の合成ゴムを使うことが好ましい。
この可撓性部材３の厚みは、抜け防止や衝撃の緩和のために２〜１０ｍｍ程度が好ましい。
【００２８】
なお、抜け防止効果、及び衝撃緩和効果については後述する。
表側から人工芝１を植え込まれ且つ裏側に可撓性部材３が貼り付けられたシート体２は、そのままマット４に接着固定されている。
このマット４には凹部４１が形成されており、可撓性部材３はこの凹部４１の中に埋め込むように固定されることが好ましい。
【００２９】
（衝撃緩和）
さて、先述したように、通常、ゴルフ場にてショットする場合、上級者ほどはボールＢの後側の土を削り取る傾向、すなわち「ターフを取る」傾向にある。
図３は、ボールＢがラフに相当する長い葉１１の人工芝１に埋まった状態を示す。
【００３０】
図４は、ボールＢの後側を削る状態を示す図である。
練習場でも同じで、練習用マットＡの人工芝１上のボールＢをショットする場合、インパクト後、ボールＢの後側の領域のマット４を削るようにクラブヘッドＣが通過しようとする。
【００３１】
この時、マット４地にクラブヘッドが強く衝突するためにクラブヘッドが打撃を受け、その衝撃が手に伝わってくる。
このように、従来の練習用マットＡにおいては、人工芝１それ自体だけでなく、その人工芝１を備えた土台の状態（すなわち、人工芝１の植え込み地の状態）が大きく影響することとなる。
【００３２】
そのため本発明においては、人工芝１を植え込んだシート体２の裏側に可撓性部材３を敢えて設けたのである。
すなわち、シート体２の裏側に可撓性部材３を貼着してマット４との間にクッション性を高めたものである。
そのため、クラブヘッドが硬い状態のマット４（例えば合成ゴム）と強く衝突するようなことが防止され、衝撃が和らいで手を傷めるようなことはない。
【００３３】
もっとも、本発明の練習用マットＡは、自然のコースのように現実にターフを取るように打ち抜くことはできないが、少なくとも可撓性部材３が介在することで、それにクラブヘッドが当たった場合に瞬時的に食い込み感が生じて、従来の練習用マットＡに較べ、より自然のラフに近いものとなる。
【００３４】
（抜け止め）
ラフ状態に似せるために人工芝１の葉１１を長くし、例えば、ボールＢが隠れるような深さである４ｃｍを越える長さとすると、打った場合、クラブヘッドとの摩擦が大きくなりどうしても芝が抜け落ち易い。
本発明では、シート体２の裏側から可撓性部材３が人工芝１の根部１２を押さえ込むように接着固定されているために、葉１１が長くても人工芝１は抜けにくい。
このように、本発明の練習用マットにおいては、可撓性部材３が衝撃緩和作用と抜け止め防止作用との両機能を併せ持つ。
【００３５】
（葉幅のランダム化）
天然の芝は、葉１１幅が一つ一つバラバラであり、それらが揃って均一なものではない。
そして、天然芝らしさは、この葉１１の個々の幅が異なることが極めて重要な要素である。
【００３６】
本発明においては、極力、天然芝に似せるように、積極的に葉１１の幅を不均一にバラバラになるように形成した。
このように人工芝１において、葉１１の幅をランダムに形成する方法としては、人工芝１としてテープ体、例えばスプリットフィルムＴを使って葉１１幅をランダム化することが好ましい。
【００３７】
このスプリットフィルムＴは、一軸方向にフィルムを延伸したテープ状のもので、延伸方向に切れ目や割れ目が生ずる特性がある。
その性質を利用して、該テープに外力を加えること（例えは、後述するように、延伸方向に引っ掻く作用を与えること）により、スプリットフィルムＴが延伸方向に沿って細かく切断されるのである。
スプリットフィルムＴとしては、ポリオレフィン系樹脂が好ましく、更に中でも、ポリプロピレン樹脂が好ましい。
【００３８】
図５は、本発明における芝の葉１１の状態を拡大して示す図である。
個々の葉１１に相当する部分としてスプリットフィルムＴが長さ方向に分割されて割れ目Ｐが生じランダムな幅となっているのが理解できよう。
このように葉幅がランダムとなり自然の芝生の形に似ている形態となる。
そのために、練習する場合にクラブヘッドの絡み具合が自然芝に良く似た感触となる。
【００３９】
（植え込み方法）
さて本発明のゴルフ練習用マットＡは、人工芝１が直接マット４に植え込ませることなくシート体２に植え込まれ、更に可撓性部材３を介してマット４に取り付けられていることから、上述したような種々のメリットを有するものである。
このようなゴルフ練習用マットＡの製造方法の例を次に述べる。
【００４０】
図６はゴルフ練習用マットの製造工程を示すブロック図であり、また図７はゴルフ練習用マットＡの製造工程を示す模式図である。
ここでは人工芝１として、前述のスプリットフィルムを使った場合で説明する。
【００４１】
１．（植え込み工程）
まず最初に、シート体２に連続したスプリットフィルムを波形状に多数屈曲させて植え込む（Ａ→Ｂ）  。
この時、図で分かるように、スプリットフィルムは、連続して結合されている状態である。
すなわち、人工芝１（葉１１や根部１２よりなる）の葉１１に相当する一本一本は、連続して一体となっている。
ここでは一本のスプリットフィルムを波形状に植え込む場合を示したが、複数本のスプリットフィルムを同時に植え込むと人工芝の密度が多くなることはいうまでもない。
【００４２】
２．  （切断工程）
次に、スプリットフィルムの先端の屈曲部をカットする（Ｂ→Ｃ）。
このように先端をナイフ等でカットすることで、スプリットフィルムは、根部がＵ字状になって一本一本が独立したものとなり、人工芝１の個々の葉１１を形成する。  この段階では、スプリットフィルムは、まだ分割されていないために、いわゆる葉の幅は均一のままである。
【００４３】
３．（裏貼り工程）
シート体２の裏側に可撓性部材３を接着により裏貼りする（Ｃ→Ｄ）。
シート体２の裏側からウレタンゴム等の可撓性部材３を接着剤等を使って貼着し、人工芝１の根部１２（Ｖ字状部分）を押さえ込んで固定するのである。
シート体２の裏側にはスプリットフィルムの基部（すなわち人工芝１の根部１２）の一部が露出しているが、可撓性部材３により押さえ込まれて接着固定するために、シート体２からの抜け等は生じない。
【００４４】
４．（分割工程）
前工程においては、スプリットフィルムによって人工芝１の葉１１が形成されているが、その葉１１の幅はまだ同じ幅に均等となっている。
これを自然の芝に近づけるために、そのスプリットフィルムの人工芝１のコーム工具等を使って引っ掻け延伸方向に割って分割する（Ｄ→Ｅ）。
このように引っ掻け作用を受けることで、スプリットフィルムは任意の位置で割れが生じて個々に独立して分離し、ランダムな葉１１幅を持つ人工芝１となる。
【００４５】
５．（マットとの取り付け工程）
人工芝１が植え込まれた状態のシート体２をマット４に取り付けるが、通常は、シート体２をマット本体に対して接着剤を使って固定する（Ｅ→Ｆ）。
以上でゴルフ練習用マットＡの製造工程が終了する。
なお、上記製造工程において、切断工程を通した後であれば、分割工程の採用工程は自由である。
【００４６】
図８は、その各々ゴルフ練習用マットの別の製造工程を示すブロック図であり、（Ａ）は、分割工程を切断工程の後とした場合、また（Ｂ）は、分割工程をマットの取り付け工程の後とした場合である。
また、植え込み工程において、図９に示すように、交互に、スプリットフィルムを波形状に多数屈曲させて植え込むと〔（Ａ）参照〕、切断工程では２倍の芝数となる〔（Ｂ）参照〕。
【００４７】
〔他の実施の形態〕
本発明のゴルフ練習用マットおいては、可撓性部材が、抜け防止効果及び衝撃緩和効果の機能を有することは既に述べた。
しかし、少なくとも、その人工芝の葉の幅がランダムに形成されていることで、十分有用なものとなっている。
【００４８】
図９は、可撓性部材を設けず、シート体２の裏側に直接、マット４を接着剤Ｒを介して接着固定されているゴルフ練習用マットの断面を示す概略図である。
人工芝の葉幅がランダムであるために、練習する場合にクラブヘッドの絡み具合が自然芝に近い感触となる。
【００４９】
以上、本発明を説明してきたが、本発明は実施形態にのみ限定されるものではなく、その本質を逸脱しない範囲で、他の種々の変形例が可能であることは言うまでもない。
【００５０】
例えば、ゴルフ練習用マットＡのマット４の下方に滑り止めの機能を付与することも可能であり、また、他の機能を更に付与することも当然可能である。
また練習用のボールＢをつなぐ紐を取り付ける穴を設けることも可能である。
人工芝１を備えたマット４の厚みは、均一の厚みのものを使っているが、長い葉１１の人工芝１の領域は下段とし、短い葉１１の人工芝１の領域は上段とするように、領域別に異なった高さのマット４面とすることも可能である。
また、複数の芝領域において、その領域の占める広さは適宜、異なった設定が可能である。
【００５１】
【発明の効果】
本発明のゴルフ練習用マットを使ってショットした場合、極力、自然のラフ状態に似た打感や芝絡みの感触を十分得ることがき、上級者においても、十分、練習効果を得ることができる。
また、従来の長い人工芝を植え込んだゴルフ練習用マットと異なって、人工芝が抜けにくく、耐久性に優れたものとなる。
【図面の簡単な説明】
【図１】図１は、ゴルフ練習用マットの実施の形態を示す外観図である。
【図２】図２は、ゴルフ練習用マットの断面を示す概略図である。
【図３】図３は、ボールが人工芝に埋まった状態を示す概略図である。
【図４】図４は、ボールの後側を削る状態を示す概略図である。
【図５】図５は、本発明における芝の葉の状態を拡大して示す図である。
【図６】図６はゴルフ練習用マットの製造工程を示すブロック図である。
【図７】図７はゴルフ練習用マットの製造工程を説明する概略図である。
【図８】図８は、各々ゴルフ練習用マットの別の製造工程を示すブロック図である。
【図９】図９は、別の植え込み工程及び切断工程を示す。
【図１０】図１０は、可撓性部材を設けない場合のゴルフ練習用マットの断面を示す概略図である。
【符号の説明】
１…人工芝
１１…葉
１２…根部
２…シート体
３…可撓性部材
４…マット
４１…凹部
Ａ…ゴルフ練習用マット
Ｂ…ゴルフボール
Ｃ…クラブヘッド（アイアン）
Ｈ１…切り抜き穴
Ｈ２…切り抜き穴
Ｐ…割れ目
Ｔ…スプリットフィルム
【図１】
2004249000.tif 000003
【図２】
2004249000.tif 000004
【図３】
2004249000.tif 000005
【図４】
2004249000.tif 000006
【図５】
2004249000.tif 000007
【図６】
2004249000.tif 000008
【図７】
2004249000.tif 000009
【図８】
2004249000.tif 000010
【図９】
2004249000.tif 000011
【図１０】
2004249000.tif 000012